(57)【要約】【課題】特別なツールなしで携帯無線通信装置のバックアップが容易に行え、携帯無線通信装置の記録容量を超えて過去の使用状態をファイル資料として外部に機密性を持たせて保存し、かつ必要時にその装置のみで受信することができるようにする。【解決手段】操作部３によりバックアップ保存操作指令があると、フラッシュＲＡＭ５またはＳＲＡＭ６に使用状態ファイルを生成する。そして、集積バッファ７に集めつつ、集積バッファ７内のデータを暗号化部８により装置固有の情報をキーとして暗号化して添付ファイルとし、送受信処理部４からサービスセンターに送信する。操作部３によるサービスセンター２０に保存した使用状態ファイルを送信元の携帯無線通信装置に返信する指令があると、サービスセンター２０からメール受信し、添付ファイルを復号化部９で装置固有の情報をキーとし復号化してフラッシュＲＡＭ５またはＳＲＡＭ６に記録する。【選択図】図１
2004282494.tif 000002
【特許請求の範囲】
【請求項１】
データおよび装置固有の情報を記録する記録部と、データの送受信を行う送受信部とを備えてなる携帯無線通信装置において、
前記記録部に記録されたデータを前記装置固有の情報を鍵データとして暗号化した後に前記送受信にて外部装置に送信し、該外部装置から前記送受信部にて前記暗号化したデータを受信した場合は、前記装置固有の情報により暗号化を解除した後に前記記録部に記録する制御部を備えたことを特徴とする携帯無線通信端末装置。
【請求項２】
携帯無線通信装置に記録されたデータを外部装置に送信する場合は、装置固有の情報を鍵データとして暗号化した後に送信し、前記携帯無線通信装置が外部装置から前記暗号化したデータを受信する場合は、前記装置固有の情報により暗号化を解除することを特徴とする携帯無線通信システムの通信方法。
【発明の詳細な説明】
【０００１】
【発明の属する技術分野】
本発明は、携帯無線通信装置およびその携帯無線通信装置を含む携帯無線通信システムの通信方法に関するものである。
【０００２】
【従来の技術】
近年、特許文献１や特許文献２に示すように、携帯無線通信装置としてデータの高速伝送が可能なＰＤＣ（Ｐｅｒｓｏｎａｌ  Ｄｉｇｉｔａｌ  Ｃｅｌｌｕｌａｒ）、ＣＤＭＡ（Ｃｏｄｅ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）やＰＨＳ（Ｐｅｒｓｏｎａｌ  Ｈａｎｄｙ−ｐｈｏｎｅ  Ｓｙｓｔｅｍ）等の通信手段を用いた携帯電話機が広く用いられ、さらに、次世代の技術として開発されているＷＣＤＭＡ（Ｗｉｄｅ  ｂａｎｄ  ＣＤＭＡ）、ＣＤＭＡ２０００等の通信手段を用いたものが開発されている。
【０００３】
そして、従来より、携帯無線通信装置内の記憶部に記憶したデータ（電話番号帳、設定登録情報、等）のバックアップとして、携帯無線通信装置から外部装置にデータを送信して外部装置の記憶部に記憶しておき、必要時に再度外部装置から無線通信装置にデータを送信して携帯無線通信装置の記憶部に記憶するようにしていた。
【０００４】
〔特許文献１〕
特開２００１−２８４９３４号公報
〔特許文献２〕
特開２００２−１４１９８７号公報
【０００５】
【発明が解決しようとする課題】
ところが、従来の携帯無線通信装置は、外部装置から他の携帯無線通信装置にデータを送信した場合でも他の携帯無線通信装置の記憶部に記憶し、その記憶内容を表示部で見ることができてしまうために、十分に秘密性を持たせることができないという問題があった。
【０００６】
【課題を解決するための手段】
本発明は、上記問題に鑑みてなされたものであり、データおよび装置固有の情報を記録する記録部と、データの送受信を行う送受信部とを備えてなる携帯無線通信装置において、前記記録部に記録されたデータを前記装置固有の情報を鍵データとして暗号化した後に前記送受信にて外部装置に送信し、該外部装置から前記送受信部にて前記暗号化したデータを受信した場合は、前記装置固有の情報により暗号化を解除した後に前記記録部に記録する制御部を備えた携帯無線通信端末装置としたものである。
【０００７】
あるいは、携帯無線通信装置に記録されたデータを外部装置に送信する場合は、装置固有の情報を鍵データとして暗号化した後に送信し、前記携帯無線通信装置が外部装置から前記暗号化したデータを受信する場合は、前記装置固有の情報により暗号化を解除する携帯無線通信システムの通信方法としたものである。
【０００８】
【発明の実施の形態】
以下、本発明の実施例について図面を用いて説明する。
図１は、本発明の携帯無線通信装置の構成図を示し、ＬＣＤ等で必要情報や設定情報、あるいはフラッシュＲＡＭ５やＳＲＡＭ６に記録されたデータを表示する表示部２、テンキー等のボタンを有する操作部３、音声やデータの送受信処理を行う送受信処理部４、装置動作のためのプログラムや使用者が登録や入力を行うデータ、送受信処理部４で受信したデータや音声、あるいは後述する装置固有の情報を記録するフラッシュＲＡＭ５，ＳＲＡＭ６、フラッシュＲＡＭ５やＳＲＡＭ６に記録された内の指定したデータを集積し、受信処理部４で受信したデータをフラッシュＲＡＭ５やＳＲＡＭ６に記録する前に一旦集積する集積バッファ７、集積バッファ７に集積されたデータを装置固有の情報により暗号化する暗号化部８、集積バッファ７に集積された暗号化されているデータを装置固有の情報により暗号化を解除する復号化部９、携帯無線通信装置１を制御する制御部１０とよりなる。
【０００９】
ここで、フラッシュＲＡＭ５やＳＲＡＭ６に記録される使用者が登録や入力を行うデータとしては、壁紙、着信音、フォントサイズ、マイメニュー等の各種設定情報、電話帳・メールアドレスデータ、スケジューラデータ、メールの送信・受信ボックス、ブラウザに登録されている「お気に入り」リスト等がある。本実施例では、これらのデータをまとめて「使用状態データ」と呼ぶこととする。
【００１０】
図２は、図１の携帯無線通信装置１とサービスセンターとを示す本発明の携帯無線通信システムを示す図であり、サービスセンター２０は携帯無線通信装置１と音声およびデータの送受信を行う送受信処理部２１、音声やデータ等を記録する記録部２２、サービスセンター２０を制御する制御部２３を備え、有線（電話回線）２４で外部機器と接続される。
【００１１】
携帯無線通信装置１は、通話料金がかかるために、その装置を特定するための装置固有の情報を持っていて、フラッシュＲＡＭ５またはＳＲＡＭ６に記録されている。本発明は、携帯無線通信端末１のある時点における状態をサービスセンター２０等の外部機器に保存（バックアップ）する際に、この装置固有の情報をキーとして暗号化し、外部機器から受信した際に装置固有の情報をキーとして暗号化を解除することを特徴とする。これにより、暗号化されたデータを解除できるのは暗号化を行った携帯無線通信装置１のみとなり、外部装置（例えば、サービスセンター２０の記録部２２）に記録されたデータを他の者が見ることができず、誤って他の携帯無線通信端末に送信したとしても暗号化を解除できないためいために、データの機密性を維持することができる。なお、本実施例では、外部装置としてサービスセンター２０の場合について説明しているが、送受信処理部４により無線または有線でデータの送受信が行える装置であれば、どのようなものでも外部装置として適用可能である。
【００１２】
以下、携帯無線端末装置１のフラッシュＲＡＭ５またはＳＲＡＭ６に記録しているデータをサービスセンター２０の記録部２２に保存し、保存したデータを再度フラッシュＲＡＭまたはＳＲＡＭ６に戻す動作について説明する。なお、以下は、データを送受信する際に、データをメールの添付ファイルとし、添付ファイル付メールを送受信する場合について説明する。また、送受信するデータは、携帯無線通信装置１の上述した使用状態データを使用状態ファイルとし、携帯無線通信装置１の使用状態で変わる記録内容を順次読み出して、集積バッファ７に一時的に置くようにした場合について説明する。
【００１３】
まず、操作部３によりバックアップ保存操作指令があると、フラッシュＲＡＭ５またはＳＲＡＭ６に使用状態ファイルを生成する。そして、使用状態ファイルを添付ファイルとして記録部２２に保存させるために、使用状態ファイル内容を予め決められた手順で集積バッファ７に集めつつ、集積バッファ７内のデータを暗号化部８により装置固有の情報をキーとして暗号化して添付ファイルとし、送受信処理部４からサービスセンター２０の送受信処理部２１に送信される。これにより、使用状態ファイルをメールの添付ファイルとしてサービスセンター２０に送信できる。
【００１４】
使用状態ファイルは、“ｃｏｎｄｉｔｉｏｎ９９．ｃｃｆ”のようになり、拡張子ｃｃｆはＣｅｌｌｕｌａｒ  Ｃｏｎｄｉｔｉｏｎ  Ｆｉｌｅを意味するものとする。また９９は使用状態ファイル作成時に００から９９の値が自動的に付加されるもので、先に使用された値から１を加算した値が付与される状態ファイルナンバーである。
【００１５】
サービスセンター２０は、受信した使用状態ファイルを記録部２２に保存する。ここで、使用状態ファイルは暗号化部８により装置固有の情報をキーとして暗号化されているために、他者が内容を見ることができない。
【００１６】
次に、操作部３による記録部２２に保存した使用状態ファイルを送信元の携帯無線通信装置に返信する指令があると、制御部２３がメールに記録部２２に保存した使用状態ファイルを添付して送受信処理部２２から携帯無線通信装置に送信する。具体的には、携帯無線通信装置１がこのメールを送受信処理部４で受信すると、表示部２でメールを受信した旨および添付ファイルとして使用状態ファイルが添付されている旨を表示する。この時点では、携帯無線通信装置１は添付ファイルである使用状態ファイルを受信しておらず、使用者が操作部３の操作により添付ファイルを使用状態ファイルとして受信させることができるようにしている。このように、添付ファイル受信時に、使用者は通常の添付ファイル受信か使用状態ファイル受信かを選択できるようにすることが好ましい。
【００１７】
そして、使用状態ファイルを送受信処理部４で受信すると、復号化部９で装置固有の情報をキーとして暗号化されたデータを順次復号化して集積バッファ７に集め、順次フラッシュＲＡＭ５またはＳＲＡＭ６の指定された領域に戻して行く。ここでも、誤って他の携帯無線通信装置に使用状態ファイルが送信されても、復号化ができないために内容を見ることができない。
【００１８】
【発明の効果】
以上説明したように、本発明の携帯無線通信装置または携帯無線通信システムの通信方法によれば、装置固有の情報を鍵データとして暗号化した後に送受信にて外部装置に送信し、外部装置から暗号化したデータを受信した場合は装置固有の情報により暗号化を解除することにより、特別なツールなしで携帯無線通信装置のバックアップが容易に行え、携帯無線通信装置の記録容量を超えて過去の使用状態をファイル資料として外部に機密性を持たせて保存し、かつ必要時にその装置のみで受信することができるようになる。
【図面の簡単な説明】
【図１】本発明の携帯無線通信装置を示す構成図である。
【図２】本発明の携帯無線通信システムを示す構成図である。
【符号の説明】
１：携帯無線通信装置
２：表示部
３：操作部
４、２１：送受信処理部
５：フラッシュＲＡＭ
６：ＳＲＡＭ
７：集積バッファ
８：暗号化部
９：復号化部
１０、２３：制御部
２０：サービスセンター
２２：記録部
【図１】
2004282494.tif 000003
【図２】
2004282494.tif 000004